(57)【要約】【課題】本発明は収納装置に関し、既存家屋押入れ部での収納を効率的に行うようにすることを目的とする。【解決手段】既存家屋の押入れ部における引き戸などを除去し、得られた押入れ空洞部４の上下面2-4, 2-5に金属製の蝶番座36, 38を鬼目によって取付け、蝶番座36, 38間に蝶番軸２４を取付ける。蝶番軸２４には回転扉12A, 12Bの蝶番26A, 26Bの筒状部30A, 30Bを一連の端部相互当接構造にて挿入し、共通な蝶番軸２４に回転扉12A, 12Bを取付ける。回転扉12A, 12Bはその上下端が押入れ空洞部４の上下面2-4, 2-5まで延びており、閉鎖時の回転扉12A, 12Bの対向端間の隙間を塞ぐキャップ５９が蝶番座36, 38からの蝶番軸２４の突出端に装着される。回転扉12A, 12Bの閉鎖により押入れ空洞部４は隠され、押入れ空洞部は床から天井までの壁様構造となる。【選択図】  図１
2006089984.tif 000002
【特許請求の範囲】
【請求項１】
既存の家屋における壁面に開口し、奥行き側に向けた空洞部に対する回転式開閉装置であって、前記空洞部の上面と下面との間を延び、前記空洞部を正面側より閉鎖するための回転部材を蝶番部にて取り付けた蝶番軸を備え、前記空洞部の上面と下面とに対向して蝶番取付座が外側より装着され、上下の蝶番取付座の間において前記共通蝶番軸には前記回転部材のための蝶番の筒状部が端部当接構造において一連に挿入され、前記蝶番取付座に前記蝶番軸の上下端が取付けられ、かつ前記端部当接構造はその下端が下側の蝶番取付座により受け止められていることを特徴とする回転式開閉装置。
【請求項２】
請求項１に記載の発明において、前記空洞部は既存の家屋における押入れ部分に形成されたものであることを特徴とする回転式開閉装置。
【発明の詳細な説明】
【技術分野】
【０００１】
この発明は、押入れのような家屋における壁面の奥行き側に向けた空洞部に対する回転式開閉装置若しくは収納装置に関するものである。
【背景技術】
【０００２】
複数の収納棚が共通の蝶番によって本体に対して回転可能な収納家具は公知である。これらの従来技術においては蝶番軸は天板及び底板から片持ち状に延びており、この片持ち状に延びた蝶番軸に、蝶番が嵌合されている。そして、収納棚はその下端においてキャスタを備えており、かつ底板にはキャスタの逃げとなる切欠が形成されている（特許文献１参照）。
【特許文献１】実開昭５７−１２６８３１号公報
【発明の開示】
【発明が解決しようとする課題】
【０００３】
従来技術は収納棚を回転自在とすることにより収納効率を高めることを可能とするものである。しかしながら、従来技術のものは別体の収納家具への収納が前提であるため、既存の家屋への収納を効率的に行うものとしては適していなかった。この発明は既存の家屋における収納を効率的に行いうるようにすることも目的とする。
【課題を解決するための手段】
【０００４】
請求項１に記載の発明によれば、既存の家屋における壁面に開口し、奥行き側に向けた空洞に対する収納装置であって、前記空洞部の上面と下面との間を延び、前記空洞部を正面側より閉鎖するための回転部材を蝶番部にて取り付けた蝶番軸を備え、前記空洞部の上面と下面とに対向して蝶番取付座が外側より装着され、上下の蝶番取付座の間において前記共通蝶番軸には前記回転扉のための蝶番の筒状部が端部当接構造において一連に挿入され、前記蝶番取付座に前記蝶番軸の上下端が取付けられ、かつ前記端部当接構造はその下端が下側の蝶番取付座により受け止められていることを特徴とする回転式開閉装置若しくは収納装置が提供される。
【０００５】
請求項１の発明の作用・効果を説明すると、既存の家屋における壁面の奥行き側に向けた空洞部を閉鎖する回転扉のための蝶番は前記空洞部の上面と下面との間を延びる共通な１本の蝶番軸に端部接合構造において一連に挿入され、蝶番軸はその上下端が前記空洞部の上面および下面に外側より装着固定される蝶番取付座に取付けられているため、個々の回転扉により家屋壁面における奥行き側への空洞部を開閉することができる。そのため、家屋における既存の空洞部への効率的な収納を実現することができる。また、蝶番部を構成する筒状部の端部当接構造により蝶番構造の高い剛性を得ることができ、回転部が重くなっても円滑な回転動作を得ることができる。
【０００６】
請求項２の発明によれば、記載の発明において、前記空洞部は既存の家屋における押入れ部分に形成されたものであることを特徴とする回転式開閉装置が提供される。
【０００７】
請求項２の発明の作用・効果を説明すると、日本式家屋等において既存の押入れ部は引き戸型の扉が設けられるが、この既存の扉を除去し、この発明の端部当接構造の蝶番を外側より装着することで、既存家屋における最小限の改修により最大限の収納効率の増大を実現することができる。
【発明を実施するための最良の形態】
【０００８】
図１は和式家屋における押入れ部分の水平面での断面を示しており、押入れ部分の４隅の柱を1-1, 1-2, 1-3, 1-4を示す。押入れ部分の左右の壁面を2-1, 2-2 、奥側の壁面を2-3、上下底面を2-4, 2-5（図2, 3も参照）にて示す。和式家屋等では、通常は、前面の柱1-1, 1-2間には襖のような引き戸型の扉の設けられている。この発明ではこのような通常の和室家屋における押入れ部分の前面における引き戸型の扉を取り外し、その結果、押入れ部は家屋壁面において奥に向けて開放した空洞部分４（図２）となって残り、この空洞部分４を蝶番付の回転扉（本発明の回転部材）により開閉するようになっている。
【０００９】
図１に示すように引き戸型の扉を外すことにより得られた押入れ空洞部４はこの発明ではそれぞれが蝶番を備えた２対の右、左の回転扉12A,12Bにより開閉する構成となっている。回転扉12A,12B は収容効率の一層の向上のため裏面側に収納棚22A, 22Bを備えている。即ち、回転扉12A,12Bの閉鎖時は収納棚22A, 22Bは押入れ内に隠れているが、直立蝶番軸２４（図１の紙面に直交する方向に延びている）の廻りで回転扉12A,12Bを開くことにより収納棚22A, 22Bにアクセス可能となる（一つの回転扉の開放状態を図１の想像線２２´にて示す）。
【００１０】
回転扉12A,12Bを回転せしめる蝶番軸２４は押入れ空洞部の上壁面2-4と下壁面2-5との間を延び、蝶番軸２４の上下両端は後述のように押し入れ空洞部分の上壁面2-4および下面25の対向内面に装着される。図３に示すように右側の回転扉１２Ａに上、中、下と３個の蝶番３０Ａが取り付けられた状態が図示される。左側の回転扉１２Ｂについても上、中、下と３個の蝶番３０Ｂが同様に取り付けられる。図４に示すように右側の回転扉１２Ａの蝶番３０Ａはその板状部２６Ａにおいて木ネジ２８によって回転扉１２Ａの裏面と一体の収納棚２２Ａの側板に締結されている。そして、蝶番３０Ａはその板状部と一体の筒状部なしている。左側の回転扉１２Ｂについても、同様に、蝶番３０Ｂがその板状部２６Ｂにて回転扉１２Ｂの裏面の収納棚２２Ｂの側板において木ネジにより取付けられる。左側の回転扉１２Ｂの蝶番３０Ｂも一体の筒状部をなしている。板状部26A, 26Bを一体化した蝶番30A, 30Bはアルミニュームの押出し成形などにより成形することが可能である。
【００１１】
回転扉12A,12Bの蝶番30A, 30Bを構成する筒状部は図２および図３に示すように蝶番軸２４に一連に挿入される。図３に示すように、右側の回転扉１２Ａの最下部の蝶番３０Ａの筒状部、次いで、左側の回転扉１２Ｂの最下部の蝶番３０Ｂの筒状部、次いで、筒状部としての蝶番30A, 30Bと同一内外径の補助スリーブ３２、右側の回転扉１２Ａの中間部の蝶番３０Ａの筒状部、次いで、左側の回転扉１２Ｂの中間部の蝶番３０Ｂの筒状部、次いで、再び補助スリーブ３２、そして、右側の回転扉１２Ａの最上部の蝶番３０Ａの筒状部、最後に、左側の回転扉１２Ｂの最上部の蝶番３０Ｂの筒状部が挿入される。蝶番軸２４へ一連に挿入される筒状部としての蝶番30A, 30B及び補助スリーブ３２は隣接端面が相互に当接されるようにされ、この端部当接構造は押入れ空洞部の上壁面2-4と下壁面2-5との間を延び、擬似的に１本のパイプをなし、以下説明する蝶番軸２４の上下端の取付け構造とも相俟って蝶番構造の高い剛性が得られる。即ち、図２に関連して後述するように、押入れ部の空洞４の上壁面2-4と下壁面2-5の対向内面に蝶番取付座36, 38が固定される。蝶番取付座36, 38を固定するためのビス４０は蝶番取付座36, 38に木ネジ式の埋め込み構造の金属内ねじスリーブ（鬼目とも称される）４４にねじ込まれる構造となっている。また、蝶番軸２４の上下の端部24-1, 24-2は外ねじを形成しており、この外ねじ部分24-1, 24-2に上下の蝶番取付座36, 38がねじ孔36-2, 38-2 を介して螺合取付けされる構造となっている。
【００１２】
筒状部及び補助スリーブ３２からなる一連の端部当接構造は樹脂製の無給油型ワッシャ４２（例えばオイレス工業株式会社製のオイレスタイプの♯８０若しくは♯８３ワッシャ）を介して下側の蝶番取付座３８上に載置される。必要に応じそれぞれの筒状部としての蝶番30A, 30B間の当接面にもワッシャ４２と同様な樹脂製の無給油型ワッシャまたは軸受部材を介在させることができる。擬似的な１本のパイプを構成するように押入れ空洞部上壁面2-4と押入れ空洞部下壁面2-5との間を延びる、筒状部としての蝶番30A, 30B及び補助スリーブ３２からなる一連の端部当接構造は、上下両端を押入れ空洞部上、下面2-4, 2-5に固定される金属製蝶番取付座36, 38に固定された蝶番軸２４に挿通され、かつ筒状部及び補助スリーブ３２からなる一連の端部当接構造を下端で樹脂製の無給油型ワッシャ４２で蝶番取付座３８で受けることと相俟って、極めて剛性の高い蝶番機構を構成し、回転扉12A, 12Bの背面の棚部12A, 12Bに載置される物品の重量に係らず、回転扉12A, 12Bの長期にわたる安定動作を補償しうる。尚、鬼目４４を挿通せしめる蝶番取付座36, 38の開口36A, 36Bの内外側の開口３６Ｂは図５に示すように一端が開口したスロット状をなしており、これにより、回転扉12A, 12Bに背面側の収納部22A, 22Bを取付けかつ蝶番３０Ａ, 26Bを取付けた半組立体（この発明の副組立体）を取付座36, 38と共に既存家屋の押入れ部分に取付けることができ、既存家屋の最小限の改修に関わらず、設置効率を著しく高めることができる。これについてはより詳細に後述する。
【００１３】
図７に示すように金属製蝶番取付座３６（蝶番取付座３８も）は押入れ空洞部を構成する上下壁面2-4, 2-5の前面2-4A, 2-5Bから幾分前方に突出しており、そのため、蝶番取付座36, 38から突出した蝶番軸２４の上下端24-1, 24-2は突出位置している。そして、蝶番取付座36, 38から突出した蝶番軸２４の上下端24-1にキャップ５９が嵌着される。即ち、キャップ５９は開口５９Ａを備え、キャップ５９は開口５９Ａによって蝶番軸２４の上下端24-1, 24-2に挿入される。キャップ５９は回転扉12A, 12Bの閉鎖状態で回転扉12A, 12Bの対向端に形成される隙間に丁度は挿入される幅（この幅は蝶番の筒状部及び補助スリーブ３２の直径に等しい）を有し、また高さは蝶番取付座36, 38から押入れ空洞部上、下面2-4, 2-5間の距離に等しくなっている。そのため、回転扉12A, 12Bの閉鎖時に回転扉12A, 12Bの隙間をキャップ５９により埋めることができる。そのため、図７に示すように回転扉12A, 12Bの閉鎖状態において押入れ空洞部を回転扉12A, 12Bにより完全に遮蔽することができる。即ち、回転扉12A, 12Bの閉鎖状態では押入れ空洞部４は外から視認することができず、回転扉12A, 12Bを床から天井まで隙間なく延びる壁面様の外観を呈せしめることができる。そして、中間には蝶番を構成する筒状部及び補助スリーブ３２及びキャップ５９は見えているがこれらは同一径でかつ同一素材（アルミニューム製）であるため下から上まで延びる１本のパイプの外観を呈しているためすっきりした外観を呈することができる。
【００１４】
既存の押入れにおいて引き戸を除去し得られた空洞部４の上下壁面2-4, 2-5に対する蝶番軸２４の固定は上下端の金属製蝶番取付座36, 38のみにより行われている。即ち、蝶番軸２４の上下端はそのねじ部が金属製蝶番取付座36, 38に螺合固定され、この金属製蝶番取付座36, 38が押入れ空洞部上下面2-4, 2-5に固定されている。図２に示すように蝶番の組み立ては蝶番を構成する筒状部及び補助スリーブ３２及びワッシャ４２を予め一連に挿入し、金属製蝶番取付座36, 38を蝶番軸２４の上下端のねじ部24-1, 24-2に螺合して副組立体SAとなす。この副組立体SAを既存家屋の押入れ部分において引き戸などを除去した後の空洞部４に前面から奥に向けて図２の白抜き矢印のように導入するが、それに先立って、図５のビス４０のうち奥の側のビスは鬼目４４に軽く挿入しておき、金属製蝶番取付座36, 38のスロット36A, 38Aがガイドとなって、所期の位置への組立体の導入を容易かつ確実に行うことができる（ビス４０とスロット３６Ａとの位置関係については図５も参照。）。その後、前側のビス４０も対応の鬼目４４に螺合し、工具（スクリュドライバ）により内面側のみから締結することにより既存家屋の押入れ部分に対する副組立体の装着は完了である。即ち、この発明の構造により蝶番の組み立て作業を著しく簡略化することができる。
【００１５】
この発明では既存の和風家屋などにおいて押入れの引き戸などを取り外すことにより得た空洞を外部より装着される蝶番付きの回転部材により開閉させることで、既存の家屋での改修を最小限にしつつ、最大限の効率的収納を行うことができ、かつ美観も損なうことがないという効果が奏される。
【図面の簡単な説明】
【００１６】
【図１】図１はこの発明の収納装置を装着した既存家屋の押入れ部分の水平断面図である。
【図２】図２は図１の収納装置を蝶番軸に蝶番の筒状部及び補助スリーブを挿通させ、上下に蝶番取付座を螺合した副組立体として構成し、押入れ空洞部に装着する際の状態を示す図（図１の大略II−II線に沿った断面図）である。
【図３】図２はこの発明の収納装置を装着した既存家屋の押入れ部分を正面図であり、開閉扉により押入れ空洞部を閉鎖した状態にて示す。
【図４】図４は図３のIV−IV線に沿って表される矢視断面図である。
【図５】図５は図３のV−V線に沿って表される矢視断面図である。
【図６】図６は図３のVI−VI線に沿って表される矢視断面図である。
【図７】図７は蝶番軸の上端に対するキャップの装着状態を示す部分的斜視図である。
【符号の説明】
【００１７】
2-4…押入れ空洞部上面
2-5…押入れ空洞部下面
４…既存家屋の押入れ空洞部
12A,12B...回転扉
13A, 13B ...スライド式収納部
22A, 22B...収納棚
２４...蝶番軸
26A, 26B...蝶番
２８...木ねじ
30A, 30B...筒状部
３２...補助スリーブ
36, 38...蝶番取付座
４２...ワッシャ
４４...ねじスリーブ（鬼目）
【図１】
2006089984.tif 000003
【図２】
2006089984.tif 000004
【図３】
2006089984.tif 000005
【図４】
2006089984.tif 000006
【図５】
2006089984.tif 000007
【図６】
2006089984.tif 000008
【図７】
2006089984.tif 000009